【手続補正書】
【提出日】平成20年10月30日(2008.10.30)
【手続補正１】
【補正対象書類名】特許請求の範囲
【補正対象項目名】全文
【補正方法】変更
【補正の内容】
【特許請求の範囲】
【請求項１】
複数の物品を収容するカートンであって、
該カートンの内部を少なくとも部分的に取り囲んで延びるパネルであって、トップパネル、ボトムパネル、第１のサイドパネル及び第２のサイドパネルを備えるパネルと、
前記少なくとも１つの物品を該カートン内で少なくとも部分的に支持するために、前記トップパネルの隣にあって、該カートンの内部に突出する支持体と
を備え、
前記支持体は、前記第１のサイドパネル及び前記第２のサイドパネルの少なくとも一方にほぼ平行である第１の折り曲げ可能なパネルと、前記トップパネル及び前記ボトムパネルの少なくとも一方にほぼ平行である第２の折り曲げ可能なパネルとを有し、前記第１の折り曲げ可能なパネルは、前記第２の折り曲げ可能なパネルに折り曲げ可能に取り付けられ、前記複数の物品と接触する肩部を形成する、
カートン。
【請求項２】
前記支持体は、前記第１の折り曲げ可能なパネルに折り曲げ可能に取り付けられると共に前記トップパネルにほぼ平行である第３の折り曲げ可能なパネルを有する、請求項１に記載のカートン。
【請求項３】
前記第３の折り曲げ可能なパネルは、前記トップパネルに接着される、請求項２に記載のカートン。
【請求項４】
前記支持体は、前記第２の折り曲げ可能なパネルに折り曲げ可能に取り付けられると共に前記第１のサイドパネル及び前記第２のサイドパネルの少なくとも一方にほぼ平行である第４の折り曲げ可能なパネルを有する、請求項２に記載のカートン。
【請求項５】
前記支持体は、前記トップパネルに折り曲げ可能に取り付けられる、請求項１に記載のカートン。
【請求項６】
折り線で前記複数のパネルのそれぞれのパネルにそれぞれ折り曲げ可能に取り付けられる端部フラップをさらに備えており、該端部フラップは、前記カートンの閉じた端部を少なくとも部分的に形成し、前記支持体は、前記閉じた端部が形成される時、前記パネルの少なくとも１つと接触するように前記折り線の隣に位置付けられる端部を有する、請求項１に記載のカートン。
【請求項７】
前記閉じた端部は、第１の閉じた端部であり、
前記端部フラップは、前記第１の閉じた端部を形成するために互いに重ねられる第１の端部フラップであり、
前記カートンは、前記複数のパネルのそれぞれのパネルにそれぞれ折り曲げ可能に取り付けられる少なくとも２つの第２の端部フラップをさらに備えており、前記第２の端部フラップは、互いに噛み合うことによって前記カートンの第２の閉じた端部を少なくとも部分的に形成する噛み合い端部フラップである、請求項６に記載のカートン。
【請求項８】
前記カートンは、前記パネルの少なくとも１つに除去可能に取り付けられるディスペンサを備え、該ディスペンサは、前記パッケージから物品を選択的に取り出すための開口を形成するための少なくとも部分的に除去可能なパネルを有し、前記少なくとも部分的に除去可能なパネルは、前記サイドパネルの少なくとも一方に除去可能に取り付けられる、
請求項１に記載のカートン。
【請求項９】
前記トップパネルに折り曲げ可能に取り付けられるハンドルを備え、前記トップパネルは、第１のトップパネルであり、前記カートンは、第２のトップパネルを備え、前記支持体は、前記第１のトップパネルに折り曲げ可能に取り付けられ、前記ハンドルは、前記第２のトップパネルに折り曲げ可能に取り付けられる、請求項１に記載のカートン。
【請求項１０】
複数の物品を支持する支持体を有するカートンを形成するブランクであって、
トップパネル、ボトムパネル、第１のサイドパネル及び第２のサイドパネルを有する複数のパネルと、
前記トップパネルに折り曲げ可能に取り付けられる支持体パネルであって、該ブランクから組み立てられるカートン内に前記少なくとも１つの物品を少なくとも部分的に支持する支持体に形成される支持体パネルと
を備え、
前記支持体は、第２の折り曲げ可能なパネルに折り曲げ可能に取付けられた第１の折り曲げ可能なパネルを有し、
該第１の折り曲げ可能なパネルは、前記ブランクから組み立てられた前記カートンの前記第１のサイドパネル及び前記第２のサイドパネルの少なくとも一方にほぼ平行に位置決めされ、
該第２の折り曲げ可能なパネルは、前記ブランクから組み立てられた前記カートンの前記トップパネル及びボトムパネルの少なくとも一方にほぼ平行に位置決めされ、
前記第１の折り曲げ可能なパネルは、前記ブランクから組み立てられた前記カートン内の前記複数の物品に接触する肩部を形成する、
ブランク。
【請求項１１】
前記複数のパネルのそれぞれのパネルにそれぞれ折り曲げ可能に取り付けられる端部フラップをさらに備えており、該端部フラップは、前記カートンの閉じた端部を少なくとも部分的に形成する、請求項１０に記載のブランク。
【請求項１２】
前記支持体は、前記第１の折り曲げ可能なパネルに折り曲げ可能に取り付けられる第３の折り曲げ可能なパネルと、前記第２の折り曲げ可能なパネル及び前記トップパネルに折り曲げ可能に取り付けられる第４の折り曲げ可能なパネルとを有し、前記第１の折り曲げ可能なパネル、前記第２の折り曲げ可能なパネル及び前記第３の折り曲げ可能なパネルは、前記第４の折り曲げ可能なパネルによって前記トップパネルに折り曲げ可能に取り付けられる、請求項１０に記載のブランク。
【請求項１３】
ブランクからカートンを形成する方法であって、
トップパネル、ボトムパネル、第１のサイドパネル及び第２のサイドパネル、及び前記トップパネルに折り曲げ可能に取り付けられる支持体パネルを有するブランクであって、該支持体パネルは、第２の折り曲げ可能なパネルに折り曲げ可能に取付けられた第１の折り曲げ可能なパネルを有し、該第１の折り曲げ可能なパネルは、前記ブランクから形成された前記カートン内の前記複数の物品に接触する肩部を形成する、ブランクを準備すること、前記支持体パネルを前記トップパネルに対して折り曲げることによって、前記第１の折り曲げ可能なパネルは、前記ブランクから組み立てられた前記カートンの前記第１のサイドパネル及び前記第２のサイドパネルの少なくとも一方にほぼ平行に位置決めされ、前記第２の折り曲げ可能なパネルは、前記ブランクから組み立てられた前記カートンの前記トップパネル及びボトムパネルの少なくとも一方にほぼ平行に位置決めされる、前記支持体を形成すること、及び
前記支持体を少なくとも部分的に取り囲んで延びるスリーブを形成すること
を含む、ブランクからカートンを形成する方法。
【請求項１４】
前記支持体パネルを前記トップパネルに取り付けることをさらに含む、請求項１３に記載のブランクからカートンを形成する方法。
【請求項１５】
前記支持体パネルは、該第１の折り曲げ可能なパネル及び該第２の折り曲げ可能なパネルの一方に折り曲げ可能に取り付けられる第３の折り曲げ可能なパネルと、該第１の折り曲げ可能なパネル、該第２の折り曲げ可能なパネル及び該第３の折り曲げ可能なパネルの一つに折り曲げ可能に取り付けられる第４の折り曲げ可能なパネルとを更に有し、前記支持体を形成することは、前記第３の折り曲げ可能なパネル及び前記第４の折り曲げ可能なパネルを折り曲げることを更に含む、請求項１４に記載のブランクからカートンを形成する方法。
【請求項１６】
前記支持体パネルを取り付けることは、前記第４の折り曲げ可能なパネルを前記トップパネルに接着することを含む、請求項１５に記載のブランクからカートンを形成する方法。
【請求項１７】
前記支持体を形成することは、該支持体が矩形の断面形状を有するように、前記第１の折り曲げ可能なパネル、前記第２の折り曲げ可能なパネル及び前記第３の折り曲げ可能なパネルを位置付けることを含む、請求項１６に記載のブランクからカートンを形成する方法。
【請求項１８】
前記トップパネルは、第１のトップパネルであり、前記ブランクは、前記第２のサイドパネルに折り曲げ可能に接続される第２のトップパネル、及び該第２のトップパネルに折り曲げ可能に接続される第３のトップパネルを有しており、前記ブランクからカートンを形成する方法は、該第２のトップパネル及び該第３のトップパネルからハンドルを形成することをさらに含む、請求項１４に記載のブランクからカートンを形成する方法。
【請求項１９】
前記第２のトップパネルは、第１のハンドル部分を有し、前記第３のトップパネルは、第２のハンドル部分を有しており、前記ハンドルを形成することは、前記第２のトップパネル及び前記第３のトップパネルを重ねて取り付けること、及び該重ねられた第１のハンドル部分及び第２のハンドル部分を前記第１のトップパネルに対して枢動させ、それにより、前記ハンドルを直立位置に位置付けることを含む、請求項１８に記載のブランクからカートンを形成する方法。
【請求項２０】
前記スリーブは、第１の開いた端部及び第２の開いた端部を有し、前記ブランクからカートンを形成する方法は、該第１の開いた端部を閉じること、及び該第２の開いた端部を閉じることをさらに含む、請求項１４に記載のブランクからカートンを形成する方法。
【請求項２１】
前記スリーブの前記第１の開いた端部を閉じることは、前記トップ端部フラップを折り曲げること、及び該トップ端部フラップを前記支持体の縦方向端部に押し付けることを含む、請求項２０に記載のブランクからカートンを形成する方法。
【請求項２２】
前記第１の開いた端部を閉じることは、前記トップ端部フラップに接着剤を塗布すること、及び前記サイド端部フラップの少なくとも１つを前記トップ端部フラップに重ねて接着することを含む、請求項２１に記載のブランクからカートンを形成する方法。